【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
機体の最後部に、後方へ搬送されてくる排藁を処理する排藁処理部を設けたコンバインにおいて、
排藁処理部に、同排藁処理部により処理した処理済み排藁を排出方向へ案内する排出案内体を設けると共に、同排出案内体は、排出処理部に基端部側を枢支して、先端開口部を姿勢変更可能としたことを特徴とするコンバインの排藁処理部構造。
【請求項２】
排出案内体に、同排出案内体を姿勢変更作動させる作動手段を連動連結し、同作動手段に操作手段を接続して、同操作手段により排出案内体の姿勢変更作動を作動手段を介して遠隔操作可能としたことを特徴とする請求項１記載のコンバインの排藁処理部構造。
【請求項３】
作業の開始を検出する作業開始検出手段と、同作業開始検出手段を入力側に接続した制御手段と、同制御手段の出力側に接続して排出案内体が収納姿勢であることを警報する警報手段とを具備することを特徴とする請求項１又は２記載のコンバインの排藁処理部構造。
【請求項４】
制御手段の入力側に、排出案内体の収納姿勢を検出する収納姿勢検出手段を接続して、同収納姿勢検出手段による排出案内体の収納姿勢検出結果と、作業開始検出手段による作業開始検出結果とに基づいて警報手段を警報作動させる一方、収納検出手段による排出案内体の収納姿勢非検出結果に基づいて警報手段を警報作動停止させるように制御可能としたことを特徴とする請求項３記載のコンバインの排藁処理部構造。
【手続補正２】
【補正対象書類名】明細書
【補正対象項目名】０００４
【補正方法】変更
【補正の内容】
【０００４】
【発明が解決しようとする課題】
ところが、上記したコンバインでは、圃場の周囲の穀桿を刈り取り、脱穀・選別・排藁処理した後に処理済みの排藁を排出すると、同処理済みの排藁が排出案内体により後方へ排出・案内されるため、圃場の外部である路上に拡散状に飛散され、路上が汚れるという不具合がある。
【手続補正３】
【補正対象書類名】明細書
【補正対象項目名】０００６
【補正方法】変更
【補正の内容】
【０００６】
【課題を解決するための手段】
そこで、本発明では、機体の最後部に、後方へ搬送されてくる排藁を処理する排藁処理部を設けたコンバインにおいて、排藁処理部に、同排藁処理部により処理した処理済み排藁を排出方向へ案内する排出案内体を設けると共に、同排出案内体は、排出処理部に基端部側を枢支して、先端開口部を姿勢変更可能としたことを特徴とするコンバインの排藁処理部構造を提供するものである。
【手続補正４】
【補正対象書類名】明細書
【補正対象項目名】０００８
【補正方法】変更
【補正の内容】
【０００８】
（１）排出案内体に、同排出案内体を姿勢変更作動させる作動手段を連動連結し、同作動手段に操作手段を接続して、同操作手段により排出案内体の姿勢変更作動を作動手段を介して遠隔操作可能としたこと。
【手続補正５】
【補正対象書類名】明細書
【補正対象項目名】０００９
【補正方法】変更
【補正の内容】
【０００９】
（２）作業の開始を検出する作業開始検出手段と、同作業開始検出手段を入力側に接続した制御手段と、同制御手段の出力側に接続して排出案内体が収納姿勢であることを警報する警報手段とを具備すること。
【手続補正６】
【補正対象書類名】明細書
【補正対象項目名】００１０
【補正方法】変更
【補正の内容】
【００１０】
（３）制御手段の入力側に、排出案内体の収納姿勢を検出する収納姿勢検出手段を接続して、同収納姿勢検出手段による排出案内体の収納姿勢検出結果と、作業開始検出手段による作業開始検出結果とに基づいて警報手段を警報作動させる一方、収納検出手段による排出案内体の収納姿勢非検出結果に基づいて警報手段を警報作動停止させるように制御可能としたこと。
【手続補正７】
【補正対象書類名】明細書
【補正対象項目名】００２９
【補正方法】変更
【補正の内容】
【００２９】
また、一番穀粒受樋39内には左右方向に伸延する一番穀粒搬送コンベア70を配置し、同一番穀粒搬送コンベア70の左側端部に上下方向に伸延する揚穀コンベア71の下端部を連設する一方、同揚穀コンベア71の上端部を前記した穀粒貯留部10に連設して、一番穀粒受樋39内の一番穀粒を一番穀粒搬送コンベア70と揚穀コンベア71とを介して穀粒貯留部10へ搬送するようにしている。
【手続補正８】
【補正対象書類名】明細書
【補正対象項目名】００３７
【補正方法】変更
【補正の内容】
【００３７】
このようにして、圃場の周囲の穀桿を刈り取り、脱穀・選別・排藁処理した後に処理済み排藁の排出作業を行う際には、あらかじめ排出案内体58を垂下収納姿勢ｂから先端開口部58aがやや後下方へ向くように姿勢を変更しておくことにより、処理済みの排藁を排出案内体58により後下方への圃場へ向けて排出・案内させることができる。
【手続補正９】
【補正対象書類名】明細書
【補正対象項目名】００４４
【補正方法】変更
【補正の内容】
【００４４】
このようにして、圃場の周囲の穀桿を刈り取り、脱穀・選別・排藁処理した後に処理済み排藁の排出作業を行う際には、排出案内体58を垂下収納姿勢ｂとなしたままで、処理済み排藁を常時開口部55bを通して直下方へ排出することができる。
【手続補正１０】
【補正対象書類名】明細書
【補正対象項目名】００５３
【補正方法】変更
【補正の内容】
【００５３】
請求項１記載の本発明では、排藁処理部に、同排藁処理部により処理した処理済み排藁を排出方向へ案内する排出案内体を設けると共に、同排出案内体は、排出処理部に基端部側を枢支して、先端開口部を姿勢変更可能としている。
【手続補正１１】
【補正対象書類名】明細書
【補正対象項目名】００５４
【補正方法】変更
【補正の内容】
【００５４】
このようにして、圃場の周囲の穀桿を刈り取り、脱穀・選別・排藁処理した後に処理済み排藁の排出作業を行う際には、あらかじめ排出案内体を垂下収納状態から先端開口部がやや後下方へ向くように姿勢を変更しておくことにより、処理済みの排藁を排出案内体により後下方への圃場へ向けて排出・案内させることができる。
【手続補正１２】
【補正対象書類名】明細書
【補正対象項目名】００５７
【補正方法】変更
【補正の内容】
【００５７】
請求項２記載の本発明では、排出案内体に、同排出案内体を姿勢変更作動させる作動手段を連動連結し、同作動手段に操作手段を接続して、同操作手段により排出案内体の姿勢変更作動を作動手段を介して遠隔操作可能としている。
【手続補正１３】
【補正対象書類名】明細書
【補正対象項目名】００５９
【補正方法】変更
【補正の内容】
【００５９】
請求項３記載の本発明では、作業の開始を検出する作業開始検出手段と、同作業開始検出手段を入力側に接続した制御手段と、同制御手段の出力側に接続して排出案内体が収納姿勢であることを警報する警報手段とを具備している。
【手続補正１４】
【補正対象書類名】明細書
【補正対象項目名】００６１
【補正方法】変更
【補正の内容】
【００６１】
請求項４記載の本発明では、制御手段の入力側に、排出案内体の収納姿勢を検出する収納姿勢検出手段を接続して、同収納姿勢検出手段による排出案内体の収納姿勢検出結果と、作業開始検出手段による作業開始検出結果とに基づいて警報手段を警報作動させる一方、収納検出手段による排出案内体の収納姿勢非検出結果に基づいて警報手段を警報作動停止させるように制御可能としている。